(57)【要約】【課題】キルテイングのようにひきつれ感がなく、また、和綴じのように加工効率が悪くなく、更に、敷布団などの寝具類や座布団、クッションなど布団類の綴じを効率よく行なうことができる技術を提供する。【解決手段】ミシン機能を有する装置により上糸に相当する綴糸のみを用いて布団類を綴じる場合において、針によって布団類の上から下または下から上に貫いた綴糸の突出部に射出成型により留め具を固着する工程を連続して行なって、布団類を綴じる。【選択図】        図１
2004154368.tif 000002
【特許請求の範囲】
【請求項１】
ミシン機能を有する装置により上糸に相当する綴糸のみを用いて布団類を綴じる場合において、針によって布団類の上から下または下から上に貫いた綴糸の突出部に留め具を固着する工程を連続して行なって、布団類を綴じることを特徴とする布団類の縫綴方法。
【請求項２】
針によって布団類の上から下または下から上に貫いた綴糸の糸輪に引っ張り棒を挿入し、綴じ部を押圧した状態下で該引っ張り棒と針との間で綴糸を引張し、布団類と引っ張り棒との間にある突出した綴糸に留め具を固着するものである、請求項１記載の布団類の縫綴方法。
【請求項３】
針によって布団類の上から下または下から上に貫いた綴糸の糸輪に引っ張り棒を挿入し、綴じ部を押圧した状態下で該引っ張り棒と針との間で綴糸を引張して綴糸の第一の突出部を形成しておき、続いて異なる箇所で同様に操作して針と他の引っ張り棒により第二の綴糸突出部を形成し、次いで２つの突出部を横方向或いは縦方向に並べて留め具で一体的に固定するものである請求項１記載の布団類の縫綴方法。
【請求項４】
留め具はプラスチック製のものであって、射出成形により固着するものである請求項１、請求項２又は請求項３記載の布団類の縫綴方法。
【請求項５】
布団類を載置する支持台の上方又は下方にミシン機能を有する装置、支持台の反対側に留め具固着装置を配置し、支持台には針挿通孔を設けるとともにミシン機能を有する装置を支持台の下方に配置する場合には布団類を上から押さえる押さえ板を設けたことを特徴とする布団類の縫綴装置。
【請求項６】
留め具固着装置は射出成形装置であって、布団類を貫いた綴糸の糸輪部分を挟むように配置した分割金型と、該金型に溶融樹脂を送り込む樹脂溶融部を含んで構成されるものである、請求項５記載の布団類の縫綴装置。
【発明の詳細な説明】
【０００１】
【発明の属する技術分野】
本発明は、布団やクッションなどの布団類において、キルテイングのように糸で縫い締めて線状の窪みを持たすのではなく、全体が自然の厚みを保った状態に綴じる新規な縫綴方法及び自動縫綴装置に関する。
【０００２】
【従来の技術】
現在、羽布団や毛布、敷布団、クッションなどの布団類において、充填物の移動の防止（羽布団など）や、軽量性と保温性を持たすために布地の間に綿等を挟んで複数枚重ねて厚みを持たすなどの目的で、キルテイングを施すことが多く見られる。
【０００３】
このキルテイングは、もともと何枚かの布地を重ねて刺子にしたものから始まっているが、現在では布の間に綿を挟み、縫い上げたところが線状に窪み、他の部分は綿の膨らんで高く浮き上がって図案を表現するようになっている。また、手縫いは手工芸品に多く見られ、大量生産にはミシンが用いられている。
【０００４】
【発明が解決しようとする課題】
ところが、キルテイング特にミシン縫いの場合は、図８（ａ）に示すように上糸イと下糸ロをからませて絞りながら縫うために、厚いものを縫うときに縫った部分と縫わない部分に過度な凹凸Ａ、Ｂができる。図中符号ハは表生地、ニは裏生地、ホは詰め物である。また、厚みが厚すぎると縫うことができないし、糸が緊張しているので切れ易い欠点もある。
【０００５】
一方、同様に中身綿のずれや偏りを防止する目的で行われているものに和綴じがある。これは敷布団や掛け布団或いは座布団などにおいてわが国で昔から行われているもので、８図（ｂ）に示すように針を使い表生地ハから綴糸ヘを通し、裏生地ニを貫いてから幾分離れた部分から糸ヘを表生地ハに貫かせ、表生地の上部中央で両方を飾り結びトにするものである。この和綴じは、キルテイングのように糸を絞らないため、糸を綴じた部分に凹凸は生じない利点はあるが、現在使用されている綴機では連続綴じができず効率が悪いうえ、イメージが古い、製品が少しへたると綴じ糸がだれて見苦しくなるなどの難点がある。
【０００６】
【課題を解決するための手段】
そこで、本発明者は上記問題に鑑み鋭意研究した結果本発明を完成させたものであり、その特徴とするところは、従来の和綴じと同様に全体が自然の厚みを保った形を、機械的に自動化するものである。また、連続綴じができるようにするものであり、言わば洋綴機とでも言うべきものである。
【０００７】
即ち、本発明方法は、ミシン機能を有する装置の針によって布団類の上から下または下から上に貫いた綴糸（とじいと）に留め具（ストッパー）を固着していく工程を連続して行なって、布団類を綴じるものである。従って、布団類の表面或いは裏面の一方には、従来のキルテイング同様の縫い模様が現れるが、反対側の面には、留め具が点模様として表れる。そして、綴じた箇所は、キルテイングのように縫締めによるひきつれた感じではなく自然の厚みを保った形となり、しかも、キルテイングや和綴じと同様に、充填物（中入れ綿）の移動防止、複数層の一体化の作用をする。
【０００８】
そのため、綴糸の１ストローク単位が留め具により独立して固定されるので、キルテイングとは異なり万が一使用中に糸切れが発生した場合でも他の綴糸には影響がなく、綴じの効果は保たれる。
【０００９】
また、本発明の大きな特徴一つとして、綴じの高さと言うか綴じの締め具合の調整が自在に行えることがある。即ち本発明では、布団類を貫いた綴糸の糸輪に引っ張り棒を挿入し、この引っ張り棒と針との間で綴糸を引張し、布団類と引っ張り棒との間にある突出した綴糸に留め具を固着するようになっている。従って、このままの状態だと布団類と留め具の間に幾分の隙間を生じ、緩んだ状態の綴じになる。そこで、留め具を固着する場合に、綴じ部を押圧した状態で行わせる。そして、この押し下げる程度と糸の張りを調整することにより、綴じの締め具合の調整を行うことができる。
【００１０】
本発明において、布団類とは、敷布団や掛け布団などの寝具類に限らず、その他、座布団、クッション、枕など、袋状の布地に綿や発泡ウレタンなどの充填物（中入れ綿）を詰め込んで袋の口を閉じたもの、更に、これらの布団類や毛布などを複層重ねて地厚にしたものを言う。
【００１１】
本発明で用いるミシン機能を有する装置としては、一頭一針式（普通のミシン）や多頭式のミシン、更に多針式のミシンなどが用いられる。また、綴糸としては、通常の和綴じやキルテイングに用いられる丈夫な糸が用いられる。
【００１２】
本発明による布団類の縫綴には、２つの方法が考えられる。まず、（１）針によって布団類の上から下または下から上に貫いた綴糸の糸輪に引っ張り棒を挿入し、該引っ張り棒と針との間で綴糸を引張し、布団類と引っ張り棒との間にある突出した綴糸に留め具を固着する方法がある。次に、（２）針によって布団類の上から下または下から上に貫いた綴糸の糸輪に引っ張り棒を挿入し、該引っ張り棒と針との間で綴糸を引張して綴糸の第一の突出部を形成しておき、続いて異なる箇所で同様に操作して針と他の引っ張り棒により第二の綴糸突出部を形成し、次いで２つの突出部を横方向或いは縦方向に並べて留め具で一体的に固定する方法がある。
【００１３】
この引っ張り棒は、ミシンにおけるカマのように、綴糸を伴って下りてきた針が上昇する時に形成される糸輪に挿入されるものである。カマとの違いは、カマが糸輪に下糸を挿入して絡ませるのに対し、本発明の引っ張り棒は、針と引っ張り棒の間で糸輪を引張するものである。
【００１４】
留め具はプラスチック製のもので、射出成形により固着するか、既製のものを綴糸に嵌込んで接着や融着などで固着するか、またはフイルム状のものを巻き付けて融着する。射出成形のものは、装置は大がかりになるが最も確実に固着でき、また手触りのよいものが得られるので、最も好ましい。
【００１５】
留め具に用いるプラスチックは、射出成形できたり成形品が融着できるものであれば特に限定はないが、できうれば、柔らかな肌触りがする軟質或いは弾性に富んだプラスチック、例えば軟質塩ビニル、ウレタン、低密度ポリエチレンなどがが好ましく用いられる。
【００１６】
本発明装置は、布団類を載置する支持台の上方又は下方にミシン機能を有する装置（ミシン装置）、支持台の反対側に留め具固着装置を配置し、支持台には針挿通孔を設けてなる。ミシン装置を支持台の下方に置くと、綴糸挿通時に布団類を上から押さえる押さえるなど操作が複雑になるので、ミシン装置は支持台の上方に置くことが好ましい。
【００１７】
留め具固着装置は射出成形装置であって、布団類を貫いた綴糸の糸輪部分を挟むように配置した分割金型と、該金型に溶融樹脂を送り込む樹脂溶融部を含んで構成される。尚、射出成形に替えて、既製の留め具を綴糸に嵌込んで接着や融着などで固着する場合には、布団類を貫いた綴糸の糸輪部分を挟むように配置した加熱具や超音波発生装置と綴糸突出部に樹脂成形物を供給する供給部とから構成されるものを用いる。また、フイルム状のものを巻き付けて融着場合には、布団類を貫いた綴糸の糸輪部分を挟むように配置した加熱具や超音波発生装置と綴糸突出部にフイルム状の樹脂成形物を供給する供給部とから構成されるものを用いる。
【００１８】
【発明の実施の形態】
（実施の形態  １）
以下、図面に示す実施例に基づいて本発明を更に詳細に説明する。図１は、本発明に係る自動縫綴装置の一例を示す概略正面図である。この自動縫綴装置１は、支持台２の上方にミシン装置３、下方に留め具固着装置４が設けられたもので、ミシン装置３はフレーム５に取り付けられている。符号３１はミシン装置３の針、符号３２は綴じ部を押圧する押さえ金である。また、符号４１は留め具固着装置４の割り金型、４２は射出成型機本体、符号６は引っ張り棒である。図の場合、引っ張り棒６は２個あるが、１個を用いる場合もある。
【００１９】
縫い綴じされる布団類７は、綴じ方向に移動自在に支持台２上に載置される。布団類７を位置固定しミシン装置３等を移動させるようにしてもよいが、装置が複雑化する。
【００２０】
図２は、綴じを行う場合の説明図で、（ａ）は初動時即ち１針目で押さえ金を下げている状態、（ｂ）は同じく押さえ金を上げた状態、（ｃ）は２針目で押さえ金を下ろした状態、（ｄ）は同じく押さえ金３２を上げて、３針目のために布団類７を更に移動した状態である。まず最初に、綴糸８の一端を糸止め３３に固定した状態で、押さえ金３２で布団類７の綴り箇所をｄ１だけ押し下げる。この状態で、針３１を上下動して下端に糸輪８１を形成する。この糸輪８１に引っ張り棒６を挿通し、針孔３１ａとの間で綴糸８を引張し、次いで割り金型４１を閉じて樹脂４３を流し込んで留め具９を成型する。この際、綴糸８の他端は糸締め３４を介して上糸調節器３５で固定されるので、引張が可能になる。符号３２ａは、押さえ金３２に設けた針挿通孔である。また、支持台２にも針挿通孔２１を設けておく。
【００２１】
留め具９が糸輪８１の末端部分に完全に固着されたあと、図２（ｂ）のように押さえ金３２を上昇させる。尚、留め具９は、支持台２を隔てているため、布団類７の下面からｄ２だけ下方に取り付けられることになる。従って、押し下げ寸法ｄ１は、ｄ２よりも大きく設定しておく必要がある。もし、等しいか小さすぎる場合には、布団類７の押し下げが終わった時点でも留め具９の引き揚げが不足し、留め具９は布団類７の下面からぶら下がった状態になる。
【００２２】
次に、図２（ｃ）に示すように、糸止め３３は綴糸８の一端を開放し、布団類７を左方向に１綴じ分だけ移動させる。或いは、ミシン装置３等を右方向に１綴り分だけ移動させる。そして、（ａ）と同様に押さえ金３２で布団類７の綴り箇所を押し下げ、針を上下動させる。この時には、綴糸８の一端は前回の留め具９で固定されており、他端は前回同様に糸締め３４を介して上糸調節器３５で固定されるので、引張が可能になる。この段階においても、前回同様に糸輪８１ができ、糸輪８１に引っ張り棒６を挿通して針孔３１ａとの間で綴糸８を引張し、同様に割り金型４１を閉じて留め具９を成型する。
【００２３】
図２（ｄ）は、図２（ｃ）の状態から押さえ金３２を上昇させ、更に布団類７を左方向に１綴り分だけ移動させた状態を示すが、この段階で、２か所の綴じが完成している。
【００２４】
図３は、留め具固着装置４部分の概略説明図である。まず、割り金型４１を閉じた上で、射出成型機本体４２内で溶融された樹脂４３をシリンダ４４により金型４１に送り込み、冷却後金型４１を開いて留め具９を成型する。符号４５はヒータ、４６はスクリューコンベア、４７はホッパーである。尚、金型４１や針３１の部分はエアなどで冷却することが望ましい。
【００２５】
尚、糸輪８１に固着する留め具９を大き目にしたい場合、支持台２の針挿通孔２１はかなり大きめなものになり、針３１が下りるときの支えになりにくい場合がある。そのような場合には、図４に示すように針挿通孔２１の下側に板状のゲート２３を設け、留め具９が上がる時にはゲート２３を開き、針３１が下りる時にはゲート２３を閉じるようにするとよい。
【００２６】
綴糸８の糸輪８１部分への留め具９の取り付け方には、図５に示すように幾つかの方法がある。まず、図５（ａ）に示す取り付け方（止め方）は、図２或いは図３に示すような引っ張り棒６の状態で、割り金型４１を閉じて留め具９を成型するものである。そして、この動作を１ストロークとして、運針しながら縫綴を続ける。
【００２７】
図５（ｂ）の止め方は、図１に示すように左右２つの引っ張り棒６を用い、まず１つ目の糸輪８１を作りこれを一方の引っ張り棒６で横方向に引っ張り、次に、２つ目の糸輪８１をもう一方の引っ張り棒６で前の糸輪８１に重ねるように同じく横方向に引っ張り、２つの糸輪８１を重ねて留め具９を成型するものである。図５（ｃ）の場合は、図５（ｂ）の両方の糸輪８１を横方向ではなく縦方向に引っ張り、重ねて留め具９を成型するものである。尚、上記（ａ）〜（ｃ）のいずれにおいても、留め具９の先に幾分かの糸輪８１部分がはみ出て形成されるので、後にこれを切除するようにしてもよい。
【００２８】
但し、図５（ｂ）、図５（ｃ）の止め方の場合は、更に糸輪８１の上の方（布団類７の下側において）を支持する補助具が必要になる。また、押さえ金３２や支持台２の針挿通孔も横長の形状のものが必要になる。
【００２９】
図６は、図５（ｂ）の止め方を行う場合の一つの方法を示す説明図である。まず、布団類７の綴じ箇所を押さえ金３６でｄ１だけ押し下げする。押さえ金３６には、図７（ａ）に示すように２つの針挿通孔３６ａ、３６ｂが設けられており、２つの針挿通孔は糸道孔３６ｃでつながっている。また、支持台２の針挿通孔の部分は図７（ｂ）に示すように２枚の支え板２２、２２が突き合わせ状になっていて、その突き合わせ部分の切欠けが針挿通孔２２ａと針挿通孔２２ｂを構成する。そして、まず針３１が針挿通孔３６ａと針通し孔２２ａを通って上下動して１つ目の糸輪８１を作りこれに一方の引っ張り棒６を引っかける。
【００３０】
この状態で針３１等を右に移動して、同様に針挿通孔３６ｂと針通し孔２２ｂを通って上下動して２つ目の糸輪８１を作る。そして、両方の引っ張り棒６を矢印方向に移動して２つの糸輪８１を重ね、割り金型４１を閉じて留め具９を成形する。この場合、２つの糸輪８１がきちんと重なるように、引っ張り補助具１０で糸輪８１の途中を支える。
【００３１】
留め具９が糸輪８１に固着したのち、支持台２の突き合わせ部分を開き同時に押さえ金３６を引き上げる。すると留め具９はｄ２だけ上昇して支持台２の上に来る。
【００３２】
【発明の効果】
以上説明したように、本発明の布団類縫綴方法は、ミシン機能を有する装置により上糸に相当する綴糸のみを用いて布団類を綴じる場合に、針によって布団類の上から下または下から上に貫いた綴糸の突出部に留め具を固着する工程を連続して行なって、布団類を綴じるものである。
【００３３】
従って、
（１）従来の和綴じと同様に全体が自然の厚みを保った形を、機械的に自動化して連続綴じができる。
（２）布団類の表面或いは裏面の一方には、従来のキルテイング同様の縫い模様が現れるが、反対側の面には、留め具が点模様として表れ、従来に無い美観のものが得られる。しかも、綴じた箇所は、キルテイングのように縫締めによるひきつれた感じではなく自然の厚みを保った形となり、且つ、キルテイングや和綴じと同様に、充填物（中入れ綿）の移動防止、複数層の一体化の作用をする。
（３）綴糸の１ストローク単位が留め具により独立して固定されるので、キルテイングとは異なり万が一使用中に糸切れが発生した場合でも他の綴糸には影響がなく、綴じの効果は保たれる。
（４）綴じの高さと言うか綴じの締め具合の調整が自在に行える。
など、種々れた効果を有するものである。
【００３４】
また、本発明の自動縫綴装置は、ミシン機構と小型の射出成型機とを組み合わすことにより容易に製造でき、布団類の目新しくしかも優れた加工を可能にするもので、言わば洋綴機とでも言うべきものを提供するものである。
【図面の簡単な説明】
【図１】本発明に係る自動縫綴装置の一例を示す概略正面図である。
【図２】綴じを行う場合の説明図で、（ａ）は初動時で押さえ金を下げている状態、（ｂ）は同じく押さえ金を上げた状態、（ｃ）は２針目で押さえ金を下ろした状態、（ｄ）は同じく押さえ金３２を上げて、３針目のために布団類７を更に移動した状態を示す。
【図３】留め具固着装置部分の概略説明図である。
【図４】支持台の、ゲートを設けた針挿通孔を示す断面図である。
【図５】綴糸の糸輪部分への留め具の取り付け方を示す模式図で、（ａ）は１つの糸輪に１つの留め具を取り付ける場合、（ｂ）は隣り合った２つの糸輪を横向きにまとめて１つの留め具を取り付ける場合、（ｃ）は隣り合った２つの糸輪を縦向きにまとめて１つの留め具を取り付ける場合をそれぞれ示す。
【図６】図５（ｂ）に示す留め具の取り付け方を行う場合の、一つの方法を示す説明図である。
【図７】（ａ）は、２つの針挿通孔を設けた押さえ金の一例を示す平面図、（ｂ）は支持台の針挿通孔部分の他の例を示す平面図である。
【図８】（ａ）はキルテイングを示す模式図、（ｂ）は和綴じを示す模式図である。
【符号の説明】
１      自動縫綴装置
２      支持台
２１    針挿通孔
２２    支え板
２２ａ  針挿通孔
２２ｂ  針挿通孔
２３    ゲート
３      ミシン装置
３１    ミシン装置の針
３１ａ  針孔
３２    押さえ金
３２ａ  針挿通孔
３３    糸止め
３４    糸締め
３５    上糸調節器
３６    押さえ金
３６ａ  針挿通孔
３６ｂ  針挿通孔
４      留め具固着装置
４１    割り金型
４２    射出成型機本体
５      フレーム
６      引っ張り棒
７      布団類
８      綴糸
８１    糸輪
９      留め具
１０      引っ張り補助具
【図１】
2004154368.tif 000003
【図２】
2004154368.tif 000004
【図３】
2004154368.tif 000005
【図４】
2004154368.tif 000006
【図５】
2004154368.tif 000007
【図６】
2004154368.tif 000008
【図７】
2004154368.tif 000009
【図８】
2004154368.tif 000010